(57)【要約】【課題】簡素な構成で建物の全館を快適に冷暖房することができる全館冷暖房システムを提供する。【解決手段】１階部分１０の床下に区画形成された床下空間４０の内部に空調機４１を配置する。各階層の天井裏空間１５、２５、３５と床下空間４０とを供給路５１〜５３で連通させ、各供給路５１〜５３にそれぞれ送風機６１〜６３を設ける。各階層の天井１２、２２、２３に吹出し口１６、２６、３６を設け、天井裏空間１５、２５、３５に供給された空気を吹出し口１６、２６、３６から室内空間１３、２３、３３に向けて吹き出させる。１階部分１０と全ての冷暖房対象階層とを含む連続した複数の階層にこれらの室内空間１３、２３、３３を互いに連通させる連通空間７０を設け、１階部分１０の床１１に設けた取込み口７１から１階部分１０の室内空間１３に戻った空気を床下空間４０に取り込む構成とする。【選択図】図１
2017129339.tif 000002
【特許請求の範囲】
【請求項１】
複数の階層を有する建物に用いられる全館冷暖房システムであって、
１階部分の床下に区画形成された床下空間と、
前記床下空間の内部に配置された空調機と、
複数の冷暖房対象階層の天井裏に設けられた天井裏空間と、
前記床下空間をそれぞれの前記天井裏空間に連通させる供給路と、
前記供給路に設けられ、該供給路を通して前記床下空間の内部の空気を前記天井裏空間に送る送風機と、
それぞれの前記冷暖房対象階層の天井に設けられ、前記天井裏空間を該冷暖房対象階層の室内空間に連通させる吹出し口と、
１階部分と全ての前記冷暖房対象階層とを含む連続した複数の階層に亘って設けられ、各階層の室内空間を互いに連通させる連通空間と、
１階部分の床に設けられ、１階部分の室内空間を前記床下空間に連通させる戻り空気の取込み口と、を有することを特徴とする全館冷暖房システム。
【請求項２】
前記供給路がダクトで形成されていることを特徴とする請求項１に記載の全館冷暖房システム。
【請求項３】
前記床下空間をそれぞれの前記天井裏空間に個別に連通させる複数の前記ダクトを有し、それぞれの前記ダクトに前記送風機が個別に設けられていることを特徴とする請求項２に記載の全館冷暖房システム。
【請求項４】
外気を取り込む外気導入口と、
１階部分の室内空間の空気に前記外気導入口から取り込んだ外気を混合して前記空調機に導く混合部と、を有することを特徴とする請求項１〜３の何れか１項に記載の全館冷暖房システム。
【請求項５】
キッチンが設けられる階層に当該階層の室内空間の内部の空気の温度を調整する副空調機が前記空調機とは別に設けられていることを特徴とする請求項１〜４の何れか１項に記載の全館冷暖房システム。
【請求項６】
１階部分の床下に前記床下空間に隣接して蓄熱用空間が区画形成され、
前記床下空間が横引きダクトにより前記蓄熱用空間に連通されていることを特徴とする請求項１〜５の何れか１項に記載の全館冷暖房システム。
【請求項７】
前記横引きダクトが前記送風機よりも下流側において前記供給路から分岐して設けられ、
前記供給路からの前記横引きダクトの分岐部分に分岐弁が設けられていることを特徴とする請求項６に記載の全館冷暖房システム。
【請求項８】
前記建物が断熱区画された高断熱住宅であることを特徴とする請求項１〜７の何れか１項に記載の全館冷暖房システム。
【請求項９】
前記床下空間が断熱区画されていることを特徴とする請求項１〜８の何れか１項に記載の全館冷暖房システム。
【発明の詳細な説明】
【技術分野】
【０００１】
本発明は、複数の階層を有する建物に用いられる全館冷暖房システムに関する。
【背景技術】
【０００２】
従来、戸建て住宅等の複数の階層を有する建物に用いられる冷暖房システムとして、各居室等に個別に冷暖房設備を設けるのに替えて、１台の空調機で建物全体の室内温度を統括的に調整するようにした全館冷暖房システムが知られている。
【０００３】
例えば特許文献１には、１階の天井裏空間内に空調機を設け、この空調機で温度調整した天井裏空間内の空気を各居室に個別にダクトを通して供給するようにした全館冷暖房システムが記載されている。
【０００４】
また、特許文献２には、空気調和室に冷暖房設備を設け、この冷暖房設備により温度調整した空気を建物の最上階の天井裏空間または最下階の床下空間にダクトを介して送り、当該天井または床に設けた通気口から室内空間に供給するようにした全館冷暖房システムが記載されている。
【先行技術文献】
【特許文献】
【０００５】
【特許文献１】特開平９−２５７２７５号公報
【特許文献２】登録実用新案第３１７８０８９号公報
【発明の概要】
【発明が解決しようとする課題】
【０００６】
しかしながら、特許文献１に示される全館冷暖房システムでは、空調機で温度調整した空気を空調機から各居室に向けて分岐する多数のダクトを介して供給する必要があるので、建物の天井裏空間に多数のダクトを配置する必要があり、システム構成が複雑になるという問題点があった。
【０００７】
また、特許文献２に示される全館冷暖房システムは、１階部分と２階部分とが空間的に連通するとともにリビングやダイニング等が１つの空間で形成されたオープンプランの建物への適用を前提としたものであり、各階層や居室等が隔壁等で仕切られたプランの建物では各居室等を十分に冷暖房することができない場合が生じるという問題点があった。
【０００８】
本発明は、このような点を解決することを課題とするものであり、その目的は、簡素な構成で建物の全館を快適に冷暖房することができる全館冷暖房システムを提供することにある。
【課題を解決するための手段】
【０００９】
本発明の全館冷暖房システムは、複数の階層を有する建物に用いられる全館冷暖房システムであって、１階部分の床下に区画形成された床下空間と、前記床下空間の内部に配置された空調機と、複数の冷暖房対象階層の天井裏に設けられた天井裏空間と、前記床下空間をそれぞれの前記天井裏空間に連通させる供給路と、前記供給路に設けられ、該供給路を通して前記床下空間の内部の空気を前記天井裏空間に送る送風機と、それぞれの前記冷暖房対象階層の天井に設けられ、前記天井裏空間を該冷暖房対象階層の室内空間に連通させる吹出し口と、１階部分と全ての前記冷暖房対象階層とを含む連続した複数の階層に亘って設けられ、各階層の室内空間を互いに連通させる連通空間と、１階部分の床に設けられ、１階部分の室内空間を前記床下空間に連通させる戻り空気の取込み口と、を有することを特徴とする。
【００１０】
本発明の全館冷暖房システムは、上記構成において、前記供給路がダクトで形成されているのが好ましい。
【００１１】
本発明の全館冷暖房システムは、上記構成において、前記床下空間をそれぞれの前記天井裏空間に個別に連通させる複数の前記ダクトを有し、それぞれの前記ダクトに前記送風機が個別に設けられているのが好ましい。
【００１２】
本発明の全館冷暖房システムは、上記構成において、外気を取り込む外気導入口と、１階部分の室内空間の空気に前記外気導入口から取り込んだ外気を混合して前記空調機に導く混合部と、を有するのが好ましい。
【００１３】
本発明の全館冷暖房システムは、上記構成において、キッチンが設けられる階層に当該階層の室内空間の内部の空気の温度を調整する副空調機が前記空調機とは別に設けられているのが好ましい。
【００１４】
本発明の全館冷暖房システムは、上記構成において、１階部分の床下に前記床下空間に隣接して蓄熱用空間が区画形成され、前記床下空間が横引きダクトにより前記蓄熱用空間に連通されているのが好ましい。
【００１５】
本発明の全館冷暖房システムは、上記構成において、前記横引きダクトが前記送風機よりも下流側において前記供給路から分岐して設けられ、前記供給路からの前記横引きダクトの分岐部分に分岐弁が設けられているのが好ましい。
【００１６】
本発明の全館冷暖房システムは、上記構成において、前記建物が断熱区画された高断熱住宅であるのが好ましい。
【００１７】
本発明の全館冷暖房システムは、上記構成において、前記床下空間が断熱区画されているのが好ましい。
【発明の効果】
【００１８】
本発明によれば、簡素な構成で建物の全館を快適に冷暖房することができる全館冷暖房システムを提供することができる。
【図面の簡単な説明】
【００１９】
【図１】本発明の一実施形態である全館冷暖房システムが設けられた建物を模式的に示す説明図である。
【図２】図１に示す建物の床下の構造を模式的に示す説明図である。
【図３】本発明の他の実施形態である全館冷暖房システムが設けられた建物を模式的に示す説明図である。
【発明を実施するための形態】
【００２０】
以下、図面を参照して、本発明をより具体的に例示説明する。
【００２１】
図１には、本発明の一実施の形態である全館冷暖房システムを戸建て住宅である建物１に適用した場合を示す。この建物１は鉄骨造の軸組みを有する３階建ての工業化住宅であり、１階部分１０、２階部分２０および３階部分３０の３つの階層を有している。
【００２２】
なお、本発明の全館冷暖房システムは、図示するような３階建ての工業化住宅に限らず、複数の階層を有する建物であれば、例えば２階建てや４階建て以上の工業化住宅あるいは２階建て以上の木造住宅などにも適用することもできる。
【００２３】
建物１の１階部分１０は、床１１、天井１２および建物１の外壁２で区画された室内空間１３を有している。同様に、建物１の２階部分２０は、床２１、天井２２および建物１の外壁２で区画された室内空間２３を有し、建物１の３階部分３０は、床３１、天井３２および建物１の外壁２で区画された室内空間３３を有している。
【００２４】
３階部分３０の室内空間３３にはキッチン３４が設けられ、キッチン３４に隣接する室内空間３３は居間兼食堂室（リビング・ダイニングルーム）となっている。一方、１階部分１０と２階部分２０には、それぞれ室内空間１３、２３の一部が仕切り壁１４、２４によって区画されて居室（個室）が設けられている。詳細は図示しないが、任意の階層の室内空間１３、２３、３３にはトイレ、浴室、洗面室等を設けることができる。
【００２５】
建物１の１階部分１０の床下には床下空間４０が区画形成されている。本実施の形態では、床下空間４０は建物１の布基礎３と１階部分１０の床１１および地面とで区画形成され、建物１の外部から隔離されている。なお、図示するように、床下空間４０は、布基礎３の内側部分における地面にコンクリートＣを打設した構成とすることができるが、地面を露出させた構成とすることもできる。
【００２６】
床下空間４０の内部には空調機４１が配置されている。図示する場合では、空調機４１は床下空間４０を区画する布基礎３の内壁に取り付けられている。空調機４１としては、例えばヒートポンプ式の熱源機を備えたエアコンディショナー装置を用いることができる。この場合、熱源機（不図示）は建物１の屋外の所定位置に配置することができる。
【００２７】
空調機４１により、床下空間４０の内部の空気を冷却（冷房）または加熱（暖房）して、当該空気の温度を所定の温度に調整することができる。例えば、建物１の全館冷房を行う場合には、空調機４１により床下空間４０の内部の空気は外気よりも低い所定の温度にまで冷房される。反対に、建物１の全館暖房を行う場合には、空調機４１により床下空間４０の内部の空気は外気よりも高い所定の温度にまで暖房される。
【００２８】
空調機４１としては、上記したヒートポンプ式のエアコンディショナー装置に限らず、例えばヒートポンプ式以外のエアコンディショナー装置や輻射パネル式の冷暖房装置など、床下空間４０の内部の空気の温度を調整することができるものであれば種々のタイプのものを用いることができる。
【００２９】
空調機４１の運転を操作するために、例えば居間兼食堂室となる３階部分３０の室内空間３３等にコントローラ（不図示）を設けることができる。このコントローラは、空調機４１の運転のオン・オフの切替え、冷房モードと暖房モードの切替え、温度調整等を行うことが可能な構成とすることができる。
【００３０】
建物１の冷暖房の対象となる階層つまり冷暖房対象階層の天井裏には、それぞれ天井裏空間が設けられている。本実施の形態では、１階部分１０、２階部分２０および３階部分３０の全ての階層が冷暖房対象階層となっており、これらの階層の全ての天井１２、２２、３２の天井裏に天井裏空間１５、２５、３５が設けられている。例えば、１階部分１０の天井裏つまり１階部分１０の天井１２と２階部分２０の床２１との間には、これらの間の懐空間として天井裏空間１５が区画形成されている。同様に、２階部分２０の天井２２と３階部分３０の床３１との間には、これらの間の懐空間として天井裏空間２５が区画形成されている。一方、３階部分３０の天井裏空間３５は、３階部分３０の天井３２と建物１の屋根４との間の屋根裏空間として区画形成されている。
【００３１】
建物１には、床下空間４０をそれぞれの階層の天井裏空間１５、２５、３５に連通させて床下空間４０で温度が調整された空気を各階層の天井裏空間１５、２５、３５に供給するための供給路が設けられている。本実施の形態では、供給路は、床下空間４０を各階層の天井裏空間１５、２５、３５に個別に連通させる３本のダクト５１〜５３で構成されている。
【００３２】
より具体的に説明すると、供給路は、床下空間４０を１階部分１０の天井裏空間１５に連通させる第１のダクト５１、床下空間４０を２階部分２０の天井裏空間２５に連通させる第２のダクト５２および床下空間４０を３階部分３０の天井裏空間３５に連通させる第３のダクト５３の３つのダクト５１〜５３で構成されている。第１のダクト５１は一端が床下空間４０に開口するとともに他端が１階部分１０の天井裏空間１５に開口する直通ダクトとして構成され、第２のダクト５２は一端が床下空間４０に開口するとともに他端が２階部分２０の天井裏空間２５に開口する直通ダクトとして構成され、第３のダクト５３は一端が床下空間４０に開口するとともに他端が３階部分３０の天井裏空間３５に開口する直通ダクトとして構成されている。
【００３３】
これらのダクト５１〜５３は、例えば円形や四角形等の断面形状を有する市販の樹脂製等のダクト部材で構成することができる。供給路をダクト５１〜５３で構成することにより、空調機４１によって所定温度に調整された空気を、床下空間４０から各階層の天井裏空間１５、２５、３５に向けて効率よく供給することができる。
【００３４】
なお、供給路は、ダクト５１〜５３を用いた構成に限らず、例えば大工工事や造作工事等の一環としてボード材等を用いて建物１の壁内等に筒状断面の流路として形成されたものとすることもできる。
【００３５】
ダクト５１〜５３の床下空間４０の側つまり吸入側となる開口端には、それぞれ送風機６１〜６３が個別に装着されている。これらの送風機６１〜６３としては、例えば電動モータにより回転駆動されるファンを備えた循環ファンを用いることができる。
【００３６】
送風機６１を作動させることにより、空調機４１により所定温度に調整された床下空間４０の内部の空気を、第１のダクト５１を通して１階部分１０の天井裏空間１５に向けて送ることができる。同様に、送風機６２を作動させることにより、空調機４１により所定温度に調整された床下空間４０の内部の空気を、第２のダクト５２を通して２階部分２０の天井裏空間２５に向けて送ることができ、送風機６３を作動させることにより、空調機４１により所定温度に調整された床下空間４０の内部の空気を、第３のダクト５３を通して３階部分３０の天井裏空間３５に向けて送ることができる。
【００３７】
なお、送風機６１〜６３は、各ダクト５１〜５３の床下空間４０の側の開口端に限らず、床下空間４０の内部の空気をダクト５１〜５３を通して各階層の天井裏空間１５、２５、３５に向けて送ることができれば、例えばダクト５１〜５３の内部など他の部位に設けることもできる。
【００３８】
本実施の形態では、上記のように、供給路を、床下空間４０を各階層の天井裏空間１５、２５、３５に個別に連通させる３本のダクト５１〜５３で構成し、各ダクト５１〜５３に個別に送風機６１〜６３を設けた構成としたので、空調機４１によって所定温度に調整された空気を、床下空間４０から各階層の天井裏空間１５、２５、３５に均等にムラなく供給することができる。また、各階層の天井裏空間１５、２５、３５に対する送風量を互いに相違させることができるので、各階層の室内空間１３、２３、３３に対して、その熱負荷に応じた適切な量の空気を送ることが可能となる。
【００３９】
なお、本実施の形態では、供給路を３本のダクト５１〜５３で構成するようにしているが、床下空間４０から３階部分３０の天井裏空間３５にまで延びる１本のダクトのみを設け、このダクトの途中部分に、１階部分１０の天井裏空間１５と２階部分２０の天井裏空間２５とに向けて空気を送る送出口を設けた構成とすることもできる。この場合、供給路の構成を簡素化することができる。
【００４０】
また、各ダクト５１〜５３の外周に断熱材を巻き付けた構成とすることもできる。これにより、床下空間４０から各階層の天井裏空間１５、２５、３５に向けてダクト５１〜５３を通過する際の空気の温度変化を抑制して、この全館冷暖房システムの効率を高めることができる。
【００４１】
１階部分１０の天井１２には、天井裏空間１５を室内空間１３に連通させる吹出し口１６が設けられている。吹出し口１６は、天井１２の任意の箇所に任意の数だけ設けることができる。本実施の形態では、１階部分１０の居室の天井に２つの吹出し口１６が設けられるとともに廊下部分の天井に１つの吹出し口１６が設けられている。
【００４２】
床下空間４０から第１のダクト５１を通して天井裏空間１５に供給された空気は、これらの吹出し口１６から１階部分１０の室内空間１３つまり居室や廊下に吹き出される。これにより、１階部分の室内空間１３に、空調機４１によって所定の温度に調整された空気が供給され、当該空気によって室内空間１３が所定の温度にまで冷暖房される。
【００４３】
同様に、２階部分２０の天井２２には、居室の天井に２つの吹出し口２６が設けられるとともに廊下部分の天井に１つの吹出し口２６が設けられ、床下空間４０から第２のダクト５２を通して天井裏空間２５に供給された空気が、これらの吹出し口２６から２階部分２０の室内空間２３つまり居室や廊下に吹き出される。これにより、２階部分の室内空間２３に、空調機４１によって所定の温度に調整された空気が供給され、当該空気によって室内空間２３が所定の温度にまで冷暖房される。
【００４４】
同様に、３階部分３０の天井３２には、居間兼食堂室となる室内空間３３の天井に２つの吹出し口３６が設けられ、床下空間４０から第３のダクト５３を通して天井裏空間３５に供給された空気が、これらの吹出し口３６から３階部分３０の室内空間３３に吹き出される。これにより、３階部分の室内空間３３に、空調機４１によって所定の温度に調整された空気が供給され、当該空気によって室内空間３３が所定の温度にまで冷暖房される。
【００４５】
各階層の天井裏空間１５、２５、３５は、少なくともダクト５１〜５３の開口端と各吹出し口１６、２６、３６との間が間仕切り壁や梁等によって仕切られることなく互いに連通された構成とされる。この構成は、例えば、梁と下階の天井との間に隙間を設け、あるいは梁のウェブの部分に貫通孔を設けることで実施することができる。このような構成により、天井裏に横引きダクト等を設けることなく、天井１２、２２、３２に吹き出し口１６、２６、３６を設けるだけの簡単な構成で、床下空間４０からダクト５１〜５３によって天井裏空間１５、２５、３５に供給された空気を各居室や廊下等の所望の位置に向けて吹き出させることができる。よって、この全館冷暖房システムの構成をさらに簡素化することができる。
【００４６】
なお、各階層の天井裏空間１５、２５、３５は、その階層の全領域において間仕切り壁や梁等によって仕切られることなく互いに連通された構成とされるのがより好ましい。このような構成とすることにより、各階層の天井１２、２２、２３の任意の位置に必要に応じて容易に吹出し口１６、２６、３６を追加することができる。
【００４７】
吹出し口１６、２６、３６は、ガラリ（ルーバー）が設けられた構成とすることができる。また、吹出し口１６、２６、３６は、それぞれ開閉式ないし開度調整式のものとすることもできる。吹出し口１６、２６、３６を開閉式ないし開度調整式のものとした場合には、各吹出し口１６、２６、３６から室内空間１３、２３、３３への空気の供給量を調整して、当該室内空間１３、２３、３３の室温調整を容易に行うことができる。
【００４８】
吹き出し口１６、２６、３６から各階層の室内空間１３、２３、３３に供給された空気を床下空間４０に戻すために、建物１には連通空間７０と戻り空気の取込み口７１とが設けられている。
【００４９】
連通空間７０は、建物１の１階部分１０と全ての冷暖房対象階層とを含む連続した複数の階層つまり１階部分１０から３階部分３０に亘って上下に延び、これら全ての階層の室内空間１３、２３、３３を互いに連通するように設けられる。例えば、図示する場合では、建物１には、２階部分２０の床２１と３階部分３０の床３１とに床開口が設けられ、これらの床開口の部分に１階部分１０から２階部分２０に達する階段７２と２階部分２０から３階部分３０に達する階段７３が設けられている。すなわち、建物１には１階部分１０から３階部分３０に亘って上下に延びる階段室が設けられている。そして、この階段室が連通空間７０を構成している。このように、連通空間７０を、１階部分１０から３階部分３０に亘って設けられた階段室によって構成することにより、建物１に空気を戻すための戻し流路を別途設けることを不要として、この全館冷暖房システムの構成をさらに簡素化することができる。
【００５０】
なお、連通空間７０は階段室により構成されるに限らず、建物１の１階部分１０から３階部分３０に亘って上下に延びる空間であれば、例えば１階部分１０から３階部分３０にまで達する吹抜け空間などで構成することもできる。
【００５１】
一方、取込み口７１は、１階部分１０の床１１に設けられる。図示する場合では、取込み口７１は、１階部分１０の連通空間７０が設けられる部分（例えば廊下）の床１１に設けられており、１階部分１０の室内空間１３を床下空間４０に連通させている。床下空間４０からダクト５１〜５３および吹出し口１６、２６、３６を通して各階層の室内空間１３、２３、３３に供給された空気は、連通空間７０を通して１階部分１０の室内空間１３にまで導かれ、取込み口７１から床下空間４０に取り込まれる。このような構成により、床下空間４０の内部の空気を、各階層の室内空間１３、２３、３３に供給して全館で循環させた後、床下空間４０に戻すことができる。
【００５２】
取込み口７１はガラリ（ルーバー）を取り付けた構成とすることができる。これにより、取込み口７１から床下空間４０への異物等の落下ないし侵入を防止することができる。また、取込み口７１は、エアフィルターを備えた構成とすることもできる。これにより、床下空間４０の内部への埃や塵等の侵入を抑制して、各階層の室内空間１３、２３、３３に供給される空気を清浄化することができる。なお、エアフィルターは、ガラリを取り外すことにより容易に掃除ないし交換が可能な構成とするのが好ましい。
【００５３】
本実施の形態のように連通空間７０を階段室で構成する場合には、階段７２の下側部分における床１１に取込み口７１を設けるのが好ましい。これにより、住人が歩行する廊下等を避けて取込み口７１を設けることができる。
【００５４】
各階層の室内空間１３、２３、３３を床下空間４０に外気を導入するための外気導入口８０を設けた構成とすることもできる。外気導入口８０を設けることにより、各階層の室内空間１３、２３、３３を冷暖房しつつ常時換気を行って建物１の内部の空気を清浄化することができる。
【００５５】
外気導入口８０は、例えば布基礎３を貫通する外気導入ダクトとして構成することができる。この場合、外気導入口８０は外気を積極的に床下空間４０に向けて供給する外気導入用のファンを備えた構成とするのが好ましい。なお、外気導入口８０は外気導入用のファンが設けられない構成とすることもできる。この場合、送風機６１〜６３の作動によって床下空間４０に僅かに生じる減圧状態によって外気導入口８０から外気が吸い込まれる構成とすることができる。
【００５６】
外気導入口８０を設けた場合には、１階部分１０の室内空間１３にまで戻された空気に外気導入口８０から取り込んだ外気を混合してから空調機４１に導く混合部８１を設けるのが好ましい。混合部８１を設けることにより、外気導入口８０から床下空間４０の内部に外気を導入する構成とした場合であっても、床下空間４０の内部における空気の温度ムラを抑制して、各階層の室内空間１３、２３、３３に適切な温度の空気を供給することができる。
【００５７】
本実施の形態では、図２に示すように、混合部８１は床下空間４０の一部を仕切り壁８２により通路状に仕切った構成とされている。通路状の混合部８１の一端側は閉塞されており、この閉塞された一端側に取込み口７１が開口している。また、外気導入口８０は通路状の混合部８１の途中部分に開口している。これにより、外気導入口８０から導入された外気は混合部８１において取込み口７１から混合部８１の内部に取り込まれた空気と混合される。空調機４１は混合部８１の出口側に配置されており、混合部８１において混合された空気が空調機４１により所定温度に調整される。
【００５８】
外気導入口８０を設けた場合には、各階層の室内空間１３、２３、３３に換気用の排気口７４を設けることができる。排気口７４から所定量の空気を屋外に排気することにより、外気導入口８０から床下空間４０へ効率良く外気を導入することができる。
【００５９】
詳細は図示しないが、排気口７４はトイレや浴室に設けることもできる。これにより、吹出し口１６、２６、３６から供給された空気をトイレや浴室等に導いて、吹出し口１６、２６、３６を設けることなく当該トイレや浴室等を冷暖房することができる。
【００６０】
建物１の１階部分１０の床下に、床下空間４０に隣接して蓄熱用空間９０を設け、床下空間４０を横引きダクト９１によって蓄熱用空間９０に連通した構成とすることもできる。
【００６１】
この場合、床下空間４０と蓄熱用空間９０とを仕切る布基礎３にはスリット状の戻し流路９２が設けられる。戻し流路９２はスリット状に限らず、床下空間４０と蓄熱用空間９０とを連通させるものであれば、例えば布基礎３に設けた孔等で構成することもできる。
【００６２】
本実施の形態では、横引きダクト９１は第１のダクト５１から分岐して設けられている。第１のダクト５１からの横引きダクト９１の分岐部分には分岐弁９３が設けられている。分岐弁９３は所謂三路シャッター（３方弁）となっており、床下空間４０から第１のダクト５１に吸い込まれた空気の流出先を、第１のダクト５１を通した天井裏空間１５または横引きダクト９１を通した蓄熱用空間９０の何れかに切り替えることができる。
【００６３】
なお、横引きダクト９１は第１のダクト５１に限らず、各階層の室内空間１３、２３、３３の冷暖房に必要な空気量等を考慮して、ダクト５１〜５３の何れから分岐させてもよい。何れの場合においても、横引きダクト９１は送風機６１〜６３が設けられる部分よりも下流側でダクト５１〜５３から分岐する構成とされる。
【００６４】
このような蓄熱用空間９０を設けることにより、建物１の各階層の室内空間１３、２３、３３の室温が床下空間４０の室温と同等の温度にまで調整されたときに、空調機４１を停止させることなく分岐弁９３を切り替え、床下空間４０の空気を蓄熱用空間９０に循環させることで、空調機４１が発生する余剰熱を蓄熱用空間９０で蓄熱（蓄冷）しつつ空調機４１がハンチングを生じることを抑制することができる。
【００６５】
また、横引きダクト９１を第１のダクト５１から分岐させた構成とすることにより、送風機６１を横引きダクト９１と第１のダクト５１とで共用化してコスト低減を図ることができる。
【００６６】
なお、蓄熱用空間９０には、例えば水タンクなどの蓄熱用の部材を配置するようにしてもよい。
【００６７】
本発明の全館冷暖房システムが適用される建物１は、外壁２および屋根４に設けられた断熱材５によって各階層の室内空間１３、２３、３３が外部から断熱区画された高断熱住宅であるのが好ましい。高断熱住宅である建物１の熱損失係数（Ｑ値）は、例えば１．５以下とされるのが好ましい。このような高断熱住宅である建物１に全館冷暖房システムを設けることにより、より小さな出力の空調機４１によって効率よく建物１の全館を冷暖房することができる。
【００６８】
また、床下空間４０も、布基礎３の内面に設けた断熱材６によって外部から断熱区画された構成とするのが好ましい。これにより、床下空間４０における熱損失を抑制して、より小さな出力の空調機４１によってさらに効率よく建物１の全館を冷暖房することができる。
【００６９】
さらに、本実施の形態のように、床下空間４０に隣接して蓄熱用空間９０を設けた場合には、蓄熱用空間９０を床下空間４０とともに建物１の外部に対して断熱区画された構成とするのが好ましい。これにより、空調機４１の発する熱の損失をさらに抑制し、より小さな出力の空調機４１によってさらに効率よく建物１の全館を冷暖房することができる。
【００７０】
なお、断熱材５としては、例えばポリスチレンフォーム板断熱やフェノールフォーム断熱板などの断熱板や吹き付け施工されるウレタンフォーム等の各種のものを用いることができる。
【００７１】
キッチン３４が設けられる３階部分３０の室内空間３３つまり居間兼食堂室に、床下空間４０に設けられる空調機４１とは別の副空調機１００を設けることもできる。副空調機１００としては、空調機４１と同様に、ヒートポンプ式のエアコンディショナー装置やヒートポンプ式以外のエアコンディショナー装置、輻射パネル式の冷暖房装置など、室内空間３３を冷暖房することができるものであれば種々のタイプのものを用いることができる。図１には、３階部分３０の天井３２にエアコンディショナー装置として構成された副空調機１００を埋設した場合を示す。
【００７２】
この場合、３階部分３０の室内空間３３に、副空調機１００の運転を操作するためのコントローラ（不図示）を設けることができる。このコントローラは、副空調機１００の運転のオン・オフの切替え、冷房モードと暖房モードの切替え、温度調整等を行うことが可能な構成とすることができる。また、コントローラは副空調機１００と空調機４１とを統合制御することができるものとすることができる。
【００７３】
このように、居間兼食堂室として利用される室内空間３３に副空調機１００を設けることによって、室内空間３３を早急に冷暖房したい場合や人の出入りや窓の開け閉め等によって室内空間３３の温度が急激に変化した場合などに、必要に応じて床下空間４０から供給される空気に加えて副空調機１００を作動させることで、室内空間３３の室温をより迅速に所定の温度に調整することが可能となる。
【００７４】
次に、このような構成の全館冷暖房システムにより建物１の全館を１つの空調機４１で冷暖房する際の空気の流れについて説明する。
【００７５】
図１に示すように、全館冷暖房システムの空調機４１を作動させると、空調機４１により床下空間４０の内部の空気の温度が所定の温度に調整される。例えば、建物１の全館冷房を行う場合には、空調機４１により床下空間４０の内部の空気が室内空間１３、２３、３３の室温よりも４〜５℃低い温度に調整され、建物１の全館暖房を行う場合には、空調機４１により床下空間４０の内部の空気が室内空間１３、２３、３３の室温よりも８〜１０℃高い温度に調整される。
【００７６】
床下空間４０で所定の温度に調整された空気は、送風機６１〜６３により各ダクト５１〜５３を通して各階層の天井裏空間１５、２５、３５に送られる。これにより、各階層の天井裏空間１５、２５、３５は床下空間４０において冷暖房された空気で満たされる。このとき、天井裏空間１５、２５、３５の内部の空気の温度は、建物１の全館冷房を行う場合には室内空間１３、２３、３３の室温よりも２〜３℃低い温度となり、建物１の全館暖房を行う場合には室内空間１３、２３、３３の室温よりも２〜３℃高い温度となる。そして、各階層の天井裏空間１５、２５、３５に供給された空気が、各階層の天井１２、２２、３２に設けられた吹出し口１６、２６、３６から各階層の室内空間１３、２３、３３に吹き出されることにより、各階層の室内空間１３、２３、３３が床下空間４０から供給された空調済みの空気によって冷暖房される。
【００７７】
各室内空間１３、２３、３３ないし各居室等に設けられた吹出し口１６、２６、３６が開度調整可能な構成とされている場合には、吹出し口１６、２６、３６の開度を調整することにより、室内空間１３、２３、３３ないし居室等の室温を個別に調整することができる。
【００７８】
室内空間１３、２３、３３に供給された空気は、当該室内空間１３、２３、３３を冷暖房した後、連通空間７０を通って取込み口７１から床下空間４０に戻される。なお、室内空間１３、２３、３３が仕切り壁で個別の居室に区画されている場合には、当該居室に供給された空気はドアの下の隙間等を通って連通空間７０にまで戻される。また、送風機６１〜６３が作動することにより、床下空間４０の圧力は室内空間１３、２３、３３よりも低くなるので、冷房、暖房の何れの場合であっても、連通空間７０に達した空気は床下空間４０に向けて引き込まれることになる。
【００７９】
そして、床下空間４０に戻された空気は、再度空調機４１によって所定の温度に調整され、上記と同様に全館を循環する。なお、全館の冷房と暖房は、空調機４１の作動モードを冷房モードと暖房モードに切り替えることで行うことができる。
【００８０】
このように、本発明の全館冷暖房システムによれば、空調機４１が設けられた床下空間４０を送風機６１〜６３を備えたダクト５１〜５３によって各階層の天井裏空間１５、２５、３５に接続し、当該天井１２、２２、３２に吹出し口１６、２６、３６を設けるとともに連通空間７０と取込み口７１とを設けるだけの簡素な構成により、空調機４１で温度調整した床下空間４０の空気を各階層の室内空間１３、２３、３３に供給して建物１の全館を効率良く冷暖房することができる。
【００８１】
また、建物１が高断熱住宅である場合であっても、建物１の各階層、居室ごとに熱負荷が相違することになるが、本発明の全館冷暖房システムによれば、床下空間４０から各階層の各居室に空調済みの空気を供給することができるので、建物１の全ての階層ないし居室を適切な温度に冷暖房することができる。
【００８２】
さらに、空調機４１から直接吹き出される空気の温度が室内空間１３、２３、３３の室温に対して大きい温度差（例えば１２〜１３℃の温度差）を有する場合であっても、床下空間４０において当該温度差を和らげてから各室内空間１３、２３、３３に供給することができるので、各室内空間１３、２３、３３をより快適に冷暖房することができる。
【００８３】
図３は本発明の他の実施形態である全館冷暖房システムが設けられた建物を模式的に示す説明図である。図３においては、前述した部材に対応する部材には同一の符号を付してある。
【００８４】
図１に示す場合では、建物１の１階部分１０、２階部分２０および３階部分３０の全ての階層を冷暖房対象階層としているが、複数の階層が冷暖房対象階層とされていれば、一部の階層を冷暖房対象階層としない構成とすることもできる。図３には、１階部分１０と２階部分２０のみが冷暖房対象階層とされ、３階部分３０が冷暖房対象階層とされない場合を示す。
【００８５】
この場合、１階部分１０の室内空間１３と２階部分２０の室内空間２３のみが床下空間４０からダクト５１、５２および天井裏空間１５、２５を通して供給される空気によって冷暖房され、３階部分３０は第３のダクト５３が設けられず、副空調機１００によって冷暖房される。
【００８６】
なお、図３に示す場合では、１階部分１０と２階部分２０とを冷暖房対象階層とし、３階部分３０を冷暖房対象階層としない構成としているが、例えば、１階部分１０と３階部分３０とを冷暖房対象階層とし、２階部分２０を冷暖房対象階層としない構成や、２階部分２０と３階部分３０とを冷暖房対象階層とし、１階部分１０を冷暖房対象階層としない構成とすることもできる。また、建物１が４階建て以上の場合においても、任意の複数の階層を冷暖房対象階層とし、他の階層を冷暖房対象階層としない構成とすることができる。何れの場合においても、連通空間７０は、１階部分１０から冷暖房対象階層のうち最上階となる階層とを含む連続した複数の階層に亘って設けられ、全ての冷暖房対象階層の室内空間の空気を取込み口７１から床下空間４０に戻すことが可能に構成される。
【００８７】
図３に示すように、混合部８１はリターンチャンバーとして構成することもできる。この場合、混合部８１はガラリ（ルーバー）およびエアフィルターが装着された取込み口７１を一面に備えた箱状に形成され、階段７２の下に配置される。混合部８１には外気導入口８０が接続されており、混合部８１の内部において取込み口７１から混合部８１に取り込まれた戻り空気と外気とが混合される。そして、混合部８１によって外気が混合された戻り空気が２本の供給ダクト８３を通して床下空間４０に送られる。
【００８８】
このような構成により、外気導入口８０から床下空間４０の内部に外気を導入する構成とした場合であっても、床下空間４０の内部における空気の温度ムラを抑制して、各階層の室内空間１３、２３、３３に適切な温度の空気を供給することができる。
【００８９】
なお、図１に示す場合と同様に、エアフィルターは、ガラリを取り外すことにより容易に掃除ないし交換が可能な構成とするのが好ましい。
【００９０】
本発明は前記実施の形態に限定されるものではなく、その要旨を逸脱しない範囲で種々変更可能であることはいうまでもない。
【００９１】
例えば、本発明の全館冷暖房システムは、高断熱、高気密の戸建て住宅に適用するのが好ましいが、高断熱、高気密ではない戸建て住宅や、メゾネットタイプの集合住宅、住宅以外の他の建物にも適用することができる。
【００９２】
また、前記実施の形態においては、床下空間４０に１台の空調機４１のみを設けているが、床下空間４０に複数台の空調機４１を設けることもできる。
【産業上の利用可能性】
【００９３】
本発明は、全館冷暖房システムを備えた住宅等の建物を建築する際に利用することができる。
【符号の説明】
【００９４】
１  建物
２  外壁
３  布基礎
４  屋根
５、６  断熱材
１０  １階部分
１１  床
１２  天井
１３  室内空間
１４  仕切り壁
１５  天井裏空間
１６  吹出し口
２０  ２階部分
２１  床
２２  天井
２３  室内空間
２４  仕切り壁
２５  天井裏空間
２６  吹出し口
３０  ３階部分
３１  床
３２  天井
３３  室内空間
３４  キッチン
３５  天井裏空間
３６  吹出し口
４０  床下空間
４１  空調機
５１  第１のダクト（供給路）
５２  第２のダクト（供給路）
５３  第３のダクト（供給路）
６１〜６３  送風機
７０  連通空間
７１  取込み口
７２、７３  階段
８０  外気導入口
８１  混合部
８２  仕切り壁
８３  供給ダクト
９０  蓄熱用空間
９１  横引きダクト
９２  戻し流路
９３  分岐弁
１００  副空調機
Ｃ  コンクリート
【図１】
2017129339.tif 000003
【図２】
2017129339.tif 000004
【図３】
2017129339.tif 000005